(57)【要約】【課題】一続きになったシートを分断させることなく開封できて、受取人に好印象を与えることができる郵送用パッケージを提供する。【解決手段】裏面側に小物入れ用凹所（１９）が形成された第１シート（２）と、この第１シート（２）の一端に連接する第２シート（３）と、この第２シート（３）における第１シート（２）側とは反対側の端部に連接する第３シート（４）と、第１シート（２）における第２シート側（３）とは反対側の端部に連接する接着片（５）とを設け、この接着片（５）に設けられた接着部（２０）が、裏面側に第３シート（４）が折り重ねられた状態の第２シート（３）を、前記小物入れ用凹所（１９）を塞ぐようにして折り返した状態において、第２シート（３）又は第３シート（４）に接着されることによって郵便物として封止されて、この封止状態における接着片（５）と第１シート（２）との境界となる折り目（１１）と、前記接着部（２０）との間で切り離すことによって開封されることとする。【選択図】  図４
2005008182.tif 000002
【特許請求の範囲】
【請求項１】
裏面側に小物入れ用凹所が形成された第１シートと、この第１シートの左右方向における一端に、裏面側から見た谷折りの折り目を介して連接する第２シートと、この第２シートにおける第１シート側とは反対側の端部に、裏面側から見た谷折りの折り目を介して連接する第３シートと、第１シートにおける第２シート側とは反対側の端部に、裏面側から見た谷折りの折り目を介して連接する接着片とを備えており、この接着片に設けられた接着部が、裏面側に第３シートが折り重ねられた状態の第２シートを、前記小物入れ用凹所を塞ぐようにして第１シートの裏面側に折り返した状態において、第２シート又は第３シートの前記折り目側の端部に接着されることによって郵便物として封止されるものであり、この封止状態における接着片と第１シートとの境界となる前記折り目と、前記接着部との間で切り離すことによって開封されることとされていることを特徴とする郵送用パッケージ。
【請求項２】
第３シートにおける第２シートとは反対側の端部に、１又は複数の別のシートがそれぞれ折り目を介して順に連接している請求項１記載の郵送用パッケージ。
【請求項３】
前記の切離しを行うための切離し部は、縦方向に断続的に形成された多数の切れ目によって構成されたミシン目からなっている請求項１又は２記載の郵送用パッケージ。
【請求項４】
接着片は、左右一対の前記切離し部間に挟まれた切離し帯を備えている請求項３記載の郵送用パッケージ。
【請求項５】
前記小物入れ用凹所は、第１シートの裏面に接着された発泡プラスチックの枠材に形成された透孔からなっている請求項１乃至４のいずれかに記載の郵送用パッケージ。
【請求項６】
第１シートには、前記小物入れ用凹所に対応するようにして、透明体によって塞がれた窓部が形成されている請求項１乃至５のいずれかに記載の郵送用パッケージ。
【請求項７】
前記封止状態において、横幅が９〜１２ｃｍ、縦幅が１４〜２３．５ｃｍ、厚さが１ｃｍ以下の定形郵便物のサイズとなっている請求項１乃至６のいずれかに記載の郵送用パッケージ。
【請求項８】
第３シートに連接される別のシートは、その大きさが郵便葉書のサイズとなるとともに、一方の面に返信先の住所、名称及び郵便番号が印刷された返信用の葉書となっている請求項２乃至７のいずれかに記載の郵送用パッケージ。
【請求項９】
第２シート及び第３シートの裏面が、文字、模様、記号、絵、写真などを表示するためのメッセージ等表示部となっている請求項１乃至８のいずれかに記載の郵送用パッケージ。
【発明の詳細な説明】
【０００１】
【発明の属する技術分野】
この発明は、宣伝広告用のダイレクトメールと併せて送る商品サンプル、客先に送る販売商品、旅先などから送る落ち葉や砂などの個人的な贈り物その他の小物を収納して郵送するための郵送用パッケージに関するものである。
【０００２】
【従来の技術】
従来より、宣伝広告用のダイレクトメールその他の郵便物に、商品サンプルその他の小物を収納して郵送することが一般的に行われている。例えば、特許文献１には、連続する３つのシートが折り重ねられた状態で郵便物として封止されるものであって、いずれかのシートに小物を収納するための収納部が形成された構成が開示されている。郵便物として封止する際には、３つのシートのうち、中間のシートを挟む両側のシートを互いに折り重ねた状態で、それらシート同士を接着する。このように、連続する３つ以上のシートを折り畳んだ状態で封止する郵便物では、連続するシート間に跨って広告宣伝その他のメッセージを連続的に記載したり、写真や絵などを大きく表示したりできるようになっている。
【０００３】
【特許文献１】特許第２９６８７６２号公報  （第８頁、第２０図）
【０００４】
【発明が解決しようとする課題】
しかし、上記の特許文献１に開示された構成からなる郵便物を開封する際には、シート間の折り目沿いの端部を切り取ることになる。従って、一続きとなっていた３つのシートが、開封することによって分断されてしまうため、開封の仕方によっては、シートとともにメッセージが分断されて読みとりにくくなってしまい、受取人に悪印象を与えてしまう欠点があった。また、ハサミやカッターナイフなどを用いなければ、素早く綺麗に開封できないため、簡便性に欠けていた。
【０００５】
そこで、この発明は、上記の不具合を解消して、一続きになった３つ若しくはそれ以上のシートを分断させることなく開封できて、受取人に好印象を与えることができるとともに、開封時の簡便性に優れた郵送用パッケージの提供を目的とする。
【０００６】
【課題を解決するための手段】
上記の課題を解決するため、この発明における郵送用パッケージは、裏面側に小物入れ用凹所が形成された第１シートと、この第１シートの左右方向における一端に、裏面側から見た谷折りの折り目を介して連接する第２シートと、この第２シートにおける第１シート側とは反対側の端部に、裏面側から見た谷折りの折り目を介して連接する第３シートと、第１シートにおける第２シート側とは反対側の端部に、裏面側から見た谷折りの折り目を介して連接する接着片とを備えており、この接着片に設けられた接着部が、裏面側に第３シートが折り重ねられた状態の第２シートを、前記小物入れ用凹所を塞ぐようにして第１シートの裏面側に折り返した状態において、第２シート又は第３シートの前記折り目側の端部に接着されることによって郵便物として封止されるものであり、この封止状態における接着片と第１シートとの境界となる前記折り目と、前記接着部との間で切り離すことによって開封されることとされていることを特徴とする。
【０００７】
場合によっては、第３シートにおける第２シートとは反対側の端部に、１又は複数の別のシートがそれぞれ折り目を介して順に連接している。
【０００８】
また、前記の切離しを行うための切離し部は、縦方向に断続的に形成された多数の切れ目によって構成されたミシン目からなっている。
【０００９】
さらに、接着片は、左右一対の前記切離し部間に挟まれた切離し帯を備えている。
【００１０】
またさらに、前記小物入れ用凹所は、第１シートの裏面に接着された発泡プラスチックの枠材に形成された透孔からなっている。
【００１１】
加えて、第１シートには、前記小物入れ用凹所に対応するようにして、透明体によって塞がれた窓部が形成されている。
【００１２】
また、前記封止状態において、横幅が９〜１２ｃｍ、縦幅が１４〜２３．５ｃｍ、厚さが１ｃｍ以下の定形郵便物のサイズとなっている。
【００１３】
第３シートに連接される上記の別のシートは、その大きさが郵便葉書のサイズとなるとともに、一方の面に返信先の住所、名称及び郵便番号が印刷された返信用の葉書となっている。
【００１４】
さらに、第２シート及び第３シートの裏面が、文字、模様、記号、絵、写真などを表示するためのメッセージ等表示部となっている。
【００１５】
【発明の実施の形態】
以下、この発明の実施形態を図面に基づいて詳細に説明する。図１乃至図８において、（１）は、この発明の第１の実施形態に係る郵送用パッケージを示している。
【００１６】
郵送用パッケージ（１）は、裏面側に小物入れ用凹所（１９）が形成された第１シート（２）と、この第１シート（２）の左右方向における一端に、裏面側から見た谷折りの折り目（８）（９）を介して連接する第２シート（３）と、この第２シート（３）における第１シート（２）側とは反対側の端部に、裏面側から見た谷折りの折り目（１０）を介して連接する第３シート（４）と、第１シート（２）における第２シート（３）側とは反対側の端部に、裏面側から見た谷折りの折り目（１１）を介して連接する接着片（５）とを備えている。
【００１７】
第１シート（２）の表面には、図５に示すように、宛名欄（１３）がやや上側の中央部に設けられており、この宛名欄（１３）に送付先の住所や氏名などが記載できるようになっている。また、第１シート（２）表面には、切手貼付部（１４）が左上部に、郵便番号記入欄（１５）が右上部にそれぞれ設けられている。これら宛名欄（１３）、切手貼付部（１４）、郵便番号記入欄（１５）は、第１シート（２）表面に印刷されて形成されている。
【００１８】
他方、第１シート（２）の裏面には、矩形の枠材（１８）が例えば接着剤（３１）によって接着されている。枠材（１８）は、厚肉の発泡プラスチックからなっている。なお、枠材（１８）に使用される材料としては、軽量であるとともに、ある程度の剛性を備えたものが好適であり、発泡ポリスチレンを用いることが考えられるが、特にこれに限定されるものではなく、その他の発泡プラスチックであっても良い。また、発泡プラスチック以外にも、段ボール、コルクその他の軽量部材を用いることも考えられる。
【００１９】
枠材（１８）の下側中央部には、矩形の透孔（１９）が設けられている。透孔（１９）の大きさは、例えば、横幅が約７ｃｍ、縦幅が約５ｃｍとなっている。なお、透孔（１９）の形状は、矩形に限られないものであり、円形、楕円形、星形などの様々な形状とすることが考えられる。
【００２０】
そして、商品サンプル、販売商品、個人的な贈り物その他の小物を収納する小物入れ用凹所は、上記のように枠材（１８）に形成された透孔（１９）からなっている。なお、小物入れ用凹所（１９）に収納される小物の例としては、化粧品、医薬品、洗剤類、食品、植物の種子、観光地等の砂や石、アクセサリー、ミニチュア人形、電子部品などが考えられる。
【００２１】
この小物入れ用凹所（１９）に対応するようにして、第１シート（２）には、透明体（１７）によって塞がれた窓部（１６）が形成されている。窓部（１６）は、その周形状が小物入れ用凹所（１９）と略同一となっており、第１シート（２）と枠材（１８）との接着状態において、窓部（１６）と小物入れ用凹所（１９）とが、第１シート（２）の表面側から見てほとんどずれることなく重なるように配置されている。すなわち、第１シート（２）の表面側から透明体（１７）を通して見たときに、小物入れ用凹所（１９）の内部全体が視認できるようになっている。
【００２２】
ただし、窓部（１６）は、小物入れ用凹所（１９）と異なる形状であっても良い。その場合は、窓部（１６）を、第１シート（２）の表面側から見て小物入れ用凹所（１９）の一部と重なるように配置して、第１シート（２）の表面側から見たときに、小物入れ用凹所（１９）の内部が一部だけ視認できるようにすることが考えられる。
【００２３】
透明体（１７）は、透明の合成樹脂からなり、板状に形成されている。透明体（１７）は、窓部（１６）に比べて一回り大きく形成されており、その表面側の外周縁部が、第１シート（２）裏面の窓部（１６）周縁部に例えば接着剤（３１）によって接着されている。同様に、透明体（１７）裏面の外周縁部は、枠材（１８）表面の透孔（１９）周縁部に接着剤（３１）によって接着されている。すなわち、透明体（１７）は、第１シート（２）と枠材（１８）とに挟まれるようにして取り付けられている。
【００２４】
なお、透明体（１７）は、窓部（１６）を塞ぐようにして設ければ良いものであり、第１シート（２）と一体に設けることを妨げるものではない。また、透明体（１７）は、一部が不透明となっていたり、一部又は全部が半透明となっていても良いものとする。
【００２５】
第１シート（２）と第２シート（３）との間には、折り目（８）（９）によって区切られた背部（６）が形成されている。この背部（６）は、第１シート（２）側の折り目（８）に沿って第１シート（２）の裏面側に折り曲げられて、枠材（１８）の左右方向における一方の側面（２７）を覆うようになっている。
【００２６】
第２シート（３）は、背部（６）とその左右両端の折り目（８）（９）とを介して、第１シート（２）に連接している。第２シート（３）の表面には、差出人記載欄（２４）が設けられており、この差出人記載欄（２４）は、差出人の住所や氏名その他の名称などが記載できるようになっている。差出人記載欄（２４）は、第２シート（３）表面の右下部に印刷されて形成されている。
【００２７】
他方、第２シート（３）の裏面は、メッセージ等表示部（２２）となっている。メッセージ等表示部（２２）には、文字、模様、記号、絵、写真などが表示可能となっている。メッセージ等表示部（２２）は、メッセージを記載したり、写真等を貼り付けたりしやすいように、罫線その他の規則的に配置した線又は点が印刷されているか、或いは、空白となっている。また、メッセージや写真などを、メッセージ等表示部（２２）に予め印刷するようにしても良い。
【００２８】
第３シート（４）は、折り目（１０）を介して第２シート（３）に連接している。第３シート（４）の表面は、上側半分が空白部（２５）となっており、下側半分が印刷部（２６）となっている。空白部（２５）は、必要に応じて、文字、模様、記号、絵、写真などを表示できるようになっている。印刷部（２６）には、文字、模様、記号、絵、写真などからなるデザイン、宣伝広告その他の印刷物が予め印刷されている。
【００２９】
他方、第３シート（４）の裏面は、第２シート（３）と同様のメッセージ等表示部（２３）となっている。ここで、第２シート（３）と第３シート（４）とは、折り目（１０）を介して連接しているため、メッセージ等表示部（２２）（２３）は、第３シート（４）裏面と第２シート（３）裏面とに跨って連続して設けられている。従って、長いメッセージや情報量の多い宣伝広告を記載することが可能となり、または、写真や絵などを大きく表示することができるようになるため、受取人にとって見やすくて印象的となる効果がある。
【００３０】
接着片（５）は、折り目（１２）を介して、第１シート（２）に連接している。接着片（５）の第１シート（２）側の端部には、折り目（１１）（１２）によって区切られた背部（７）が形成されている。この背部（７）は、第１シート（２）側の折り目（１１）に沿って第１シート（２）の裏面側に折り曲げられて、枠材（１８）の左右方向における他方の側面（２８）を覆うようになっている。
【００３１】
接着片（５）は、左右方向において背部（７）から第１シート（２）とは反対側に向かうに連れて、縦方向の長さが短くなる略台形状となっている。また、接着片（５）には、左右方向における第１シート（２）とは反対側の端部の裏面において、接着部（２０）が設けられている。この接着部（２０）は、パッケージ（１）を封止する際に、糊（３３）その他の接着剤を塗布するための糊代となっている。
【００３２】
ただし、接着部（２０）は、予め接着剤を塗布しておくようにしても良い。この場合は、接着部（２０）の接着面に剥離紙を貼付しておき、パッケージ（１）を封止する際には、剥離紙を剥がしてから所定箇所に接着すれば良い。
【００３３】
また、接着片（５）は、左右方向における接着部（２０）と背部（７）との間において、切離し帯（２１）を備えている。切離し帯（２１）は、左右一対の切離し部（２９）（２９）間に挟まれて形成されている。それぞれの切離し部（２９）は、縦方向に断続的に形成された多数の切れ目（３０）（３０）…によって構成されたミシン目からなっている。それぞれの切れ目（３０）は、その下端が切離し帯（２１）の内側に屈曲した略Ｊ字状となっている。
【００３４】
切離し帯（２１）の上端には、接着片（５）の上端より上方へ突出する摘み片（４０）が設けられている。そして、切離し帯（２１）は、摘み片（４０）を摘んで下方へ引っ張ると容易に切り取られて、接着片（５）から離脱するようになっている。
【００３５】
ただし、摘み片（４０）は、切離し帯（２１）の下端に、接着片（５）の下端より下方へ突出するようにして設けても良い。この場合、切離し部（２９）におけるそれぞれの切れ目（３０）を、その上端が切離し帯（２１）の内側に屈曲した略Ｊ字状に形成すれば、摘み片（４０）を摘んで上方へ引っ張ると、切離し帯（２１）を容易に切り取ることができる。
【００３６】
なお、上記において、切離し部（２９）（２９）を、接着片（５）の背部（７）、又はその左右いずれか若しくは両方の折り目（１１）（１２）に設けたり、切離し帯（２１）を背部（７）に設けたりすることを妨げるものではない。また、接着片（５）は、接着片（５）と第１シート（２）との境界となる折り目（１１）と、接着部（２０）との間で切り離すことが可能となっていれば、必ずしも切離し部（２９）を設けなくても良いものとする。
【００３７】
次に、上記構成からなる郵送用パッケージ（１）を郵便物として封止する手順について説明する。先ず、図２に示すように第１シート（２）に予め枠材（１８）を取り付けておいた状態において、小物入れ用凹所（１９）に商品サンプルその他の小物を収納する。次に、図３に示すように、第３シート（４）を第２シート（３）の裏面側に折り返して、第１シート（２）と第２シート（３）との間の背部（６）を、枠材（１８）の側面（２７）を塞ぐようにして折り返す。さらに、裏面側に第３シート（４）が折り重ねられた状態の第２シート（３）を、図４に示すように、小物入れ用凹所（１９）を塞ぐようにして第１シート（２）の裏面側に折り返す。
【００３８】
このようにして折り返された第２シート（３）における第３シート（４）側の端部に、接着片（５）を外側から重ねるようにして折り返し、接着片（５）の接着部（２０）を第２シート（３）の外側の表面に接着することにより、第２シート（３）と接着片（５）とが連結されて郵便物として封止される。なお、このとき、窓部（１６）を見ると、小物入れ用凹所（１９）の奥側に、第３シート（４）の印刷部（２６）が見えるようになっている。
【００３９】
ここで、上記において、互いに折り重ねられた状態で小物入れ用凹所（１９）を塞ぐようにして折り返される第２シート（３）及び第３シート（４）に対して、その内側に接着片（５）を折り返して、接着片（５）の外側の表面と第３シート（４）の表面とを接着することにより封止することも考えられる。その場合は、接着片（５）の接着部（２０）は、接着片（５）の表面側に設けておけば良い。
【００４０】
この封止状態において、郵送用パッケージ（１）は、横幅が９〜１２ｃｍ、縦幅が１４〜２３．５ｃｍ、厚さが１ｃｍ以下の定形郵便物のサイズとなっている。具体的な大きさとしては、例えば、横幅が約１０ｃｍ、縦幅が約１５ｃｍのハガキサイズとすることが考えられる。
【００４１】
そして、郵送用パッケージ（１）は、小物入れ用凹所（１９）に商品サンプルその他の小物を収納して郵送することが可能となっているため、宣伝広告用のダイレクトメールと併せて商品サンプルを送る際、客先に販売商品を送る際、旅先などから落ち葉、砂、土産物などの個人的な贈り物を送る際などに、それら小物を定形郵便として送ることができ、送料コストの低減化を図ることが可能となっている。
【００４２】
また、小物入れ用凹所（１９）を備えた枠材（１８）が、軽量の発泡プラスチックからなっているため、パッケージ（１）全体としても極めて軽量となっている。従って、小物入れ用凹所（１９）に収納する小物が軽量のものであれば、さらなる送料コストの低減化を図ることができる。
【００４３】
加えて、枠材（１８）の縦方向の側面（３５）（３６）は、塞がれることなく露出した状態となっているが、発泡プラスチックからなる枠材（１８）は、段ボールで形成する場合に比べて意匠性に優れているため、見栄えが悪くなることがない。
【００４４】
さらに、封止された郵送用パッケージ（１）は、図５に示すように、宛名欄（１３）が設けられた第１シート（２）表面が、郵便物としての表面側となっている。そして、第１シート（２）に窓部（１６）が形成されているため、封止状態において郵便物の表面側から見たときに、小物入れ用凹所（１９）の内部を視認することができ、受取人は、開封しなくても収納された小物の内容がすぐに分かるようになっている。
【００４５】
従って、受取人に対して大きな印象を与えたり、興味を引くことができ、それゆえ、このパッケージ（１）に商品サンプル等を収納してダイレクトメールとして郵送した場合、その開封率を向上させることができる。
【００４６】
ただし、封止状態において、第２シート（３）表面を郵便物としての表面側とするようにしても良く、その場合は、宛名欄（１３）、切手貼付部（１４）、郵便番号記入欄（１５）を第２シート（３）表面に設ければ良い。この場合でも、郵便物としての裏面側から見れば、開封する前に収納された小物が視認できるため、上記と同様の効果を得ることができる。
【００４７】
上記のように封止された郵送用パッケージ（１）を開封する際は、図８に示すように、ミシン目からなる切離し部（２９）（２９）で接着片（５）を容易に切り離すことができるため、ハサミやカッターナイフなどを用いなくても、素早く綺麗に開封でき、簡便性に優れている。この際、摘み片（４０）を摘んで下方に引っ張って切離し帯（２１）を切り取ることで、極めて容易に開封できるようになっている。
【００４８】
しかも、開封後において、第２シート（３）と第３シート（４）とが分離することがないため、それら両シート（３）（４）の裏面に跨って連続するメッセージ等表示部（２２）（２３）を、分離することなく連続した状態で見ることができる。すなわち、第２シート（３）と第３シート（４）とに跨って連続するようにして、長いメッセージや情報量の多い宣伝広告を記載したり、写真や絵などを大きく表示することができるため、受取人にとって見やすくて印象的となる効果がある。
【００４９】
以下において、図９乃至図１２に基づいて、この発明の第２の実施形態に係る郵送パッケージ（４１）について説明する。図９に示すように、この実施形態では、第３シート（４）における第２シート（３）とは反対側の端部に、折り目（４６）を介して第４シート（４０）が連接している。
【００５０】
第４シート（４０）は、第３シート（４）から切り離すことによって、返信用の葉書として使用できるようになっている。すなわち、第４シート（４０）は、その大きさが郵便葉書のサイズとなるとともに、一方の面に宛名欄（４２）、切手欄（４３）、及び郵便番号欄（４４）が設けられており、宛名欄（４２）には返信先の住所及び名称が、郵便番号欄（４４）には返信先の郵便番号がそれぞれ印刷されている。
【００５１】
従って、受取人が、返信用の葉書である第４シート（４０）を切り取って、切手欄（４３）に必要な料金分の切手を貼るだけで、この返信用葉書を郵送できるようになっている。
【００５２】
また、第４シート（４０）の他方の面には、図１０に示すように、アンケート欄（４８）が設けられている。そして、受取人にアンケート欄（４８）に必要事項を記入して返信してもらうことで、小物入れ用凹所（１９）に収納した商品や商品サンプル等について、受取人の反応を確認することが可能となっている。
【００５３】
ここで、アンケート欄（４８）の代わりに、宣伝広告の対象である商品若しくはサービスの購入、又はそれらのカタログの請求等を申し込むための申込み記入欄を設けることも考えられる。その場合は、宣伝広告の対象である商品の販売若しくはサービスの提供をより促進することが可能となる。
【００５４】
また、第３シート（４）と第４シート（４０）との境界となる折り目（４６）には、縦方向に断続的に形成された多数の切れ目（４７）（４７）…によって構成されたミシン目が設けられており、受取人が手で容易に第４シート（４０）を切り取ることができるようになっている。ただし、この折り目（４６）のミシン目は、必ずしも設けなければならないものではない。
【００５５】
なお、図において、（４５）は印刷部であり、第１の実施形態における第３シート（４）表面に設けられた印刷部（２６）と同様の構成となっている。また、この実施形態においては、第３シート（４）表面が、第２シート（３）及び第３シート（４）裏面と同様のメッセージ等表示部（４９）となっている。
【００５６】
以下、この実施形態に係る郵送用パッケージ（４１）を郵便物として封止する手順について簡単に説明する。第１の実施形態と同様に小物入れ用凹所（１９）に小物を収納した状態において、図１０に示すように、第３シート（４）を第２シート（３）の裏面側に折り返すとともに、図１１に示すように、第４シート（４０）を第３シート（４）の表面側に折り返す。
【００５７】
このようにして略Ｚ字状に折り重ねられた状態の第２シート（３）、第３シート（４）、及び第４シート（４０）を、図１２に示すように、小物入れ用凹所（１９）を塞ぐようにして第１シート（２）の裏面側に折り返し、そのように折り返された状態の第２シート（３）の外側の表面に、第１の実施形態と同様に、外側から重ねるようにして折り返した接着片（５）の接着部（２０）を接着して封止する。なお、このとき、窓部（１６）を見ると、小物入れ用凹所（１９）の奥側に、第４シート（２０）の印刷部（４５）が見えるようになっている。
【００５８】
ただし、上記において、第４シート（４０）を、第２シート（３）と第３シート（４）との間に挟むようにして、第３シート（４）の裏面側に折り返すようにしても良いものとする。
【００５９】
この郵送用パッケージ（４１）は、返信用の葉書となる第４シート（４０）を一体に備えているため、第４シート（４０）を上記のように折り返して封止するだけで、返信用葉書をパッケージ（４０）内に封入することが可能となっている。
【００６０】
なお、第２の実施形態において、第４シート（４０）は、必ずしも上記のような返信用の葉書とする必要はなく、第４シート（４０）の一方若しくは両方の面に、第２シート（３）及び第３シート（４）のメッセージ等表示部（２２）（２３）（４９）と同様のメッセージ等表示部を設けるようにしても良い。その場合は、より長いメッセージを記載したり、より大きな若しくはより多くの写真や絵などを表示することができる。
【００６１】
また、第４シート（４０）における第３シート（４）とは反対側の端部に、さらに１又は複数の別のシートをそれぞれ折り目を介して順に連接させて設けるようにしても良い。そして、それらのシートに上記構成と同様のメッセージ等表示部を設けるようにすれば、上記と同様の効果をさらに発揮することができる。また、この場合、第４シート（４０）に連接する別のシートを上記のような返信用の葉書とすることが考えられる。
【００６２】
さらに、第２の実施形態において、その他の構成及び効果は、第１の実施形態と同様であり、図において、第１の実施形態と同様の機能を有する部材については同符号を付してある。
【００６３】
この発明は、上記実施形態に限定されるものではなく、この発明の範囲内で上記実施形態に多くの修正及び変更を加え得ることは勿論である。例えば、第１及び第２の実施形態における第３シート（４）を、第２の実施形態における第４シート（４０）と同様の返信用の葉書とすることが考えられる。
【００６４】
【発明の効果】
以上の説明から明らかなように、この発明では、郵送用パッケージを開封する際に、３つのシートを分離させることなく連なった状態のままで開封できるため、連続するシート間に跨ってメッセージを連続的に記載していた場合、開封後においても、そのメッセージを連続した状態で見ることができる。すなわち、第２シートと第３シートとに跨って連続するようにして、長いメッセージや情報量の多い宣伝広告を記載したり、写真や絵などを大きく表示することができるため、受取人にとって見やすくて印象的となる効果がある。
【００６５】
また、第３シートの端部に別のシートを連接させて設けることにより、多数のシートに亘ってメッセージ等を表示することができるようになるため、より長いメッセージを記載したり、より大きな若しくはより多くの写真や絵などを表示することができる。
【００６６】
さらに、その別のシートを返信用の葉書とした場合は、それ以外のシートと同様に折り返して封止するだけで、返信用葉書をパッケージ内に封入することが可能となっている。
【００６７】
また、ミシン目からなる切離し部で接着片を容易に切り離すことができるため、ハサミやカッターナイフなどを用いなくても、素早く綺麗に開封でき、簡便性に優れている。さらに、左右一対の切離し部間に挟まれた切離し帯を設けることで、簡便性のさらなる向上を図ることができる。
【００６８】
またさらに、小物入れ用凹所を備えた枠材が、軽量の発泡プラスチックからなっているため、パッケージ全体としての軽量化を図ることができるとともに、郵便料金についてコストダウンを実現できる。
【００６９】
加えて、枠材の縦方向の側面は、塞がれることなく露出した状態となっているが、発泡プラスチックからなる枠材は、段ボールで形成する場合に比べて意匠性に優れているため、見栄えが悪くなることがない。
【００７０】
さらに、第１シートに窓部が形成されているため、封止状態において、第１シートの表面側、すなわち郵便物としての表面側から見たときに、小物入れ用凹所の内部が見えるため、収納している商品、サンプル等の小物の内容が開封しなくてもすぐに分かるようになっている。従って、受取人に対して大きな印象を与えたり、興味を引くことができる。
【００７１】
またさらに、封止状態における郵送用パッケージが、横幅が９〜１２ｃｍ、縦幅が１４〜２３．５ｃｍ、厚さが１ｃｍ以下の定形郵便物のサイズとなっているため、宣伝広告用のダイレクトメールと併せて商品サンプルを送る際、客先に販売商品を送る際、旅先などから落ち葉、砂、土産物などの個人的な贈り物を送る際などに、それら小物を小物入れ用凹所に収納して定形郵便として送ることができ、送料コストの低減化を図ることができる。
【図面の簡単な説明】
【図１】この発明の第１の実施形態に係る郵送用パッケージを示す分解斜視図である。
【図２】同じくその斜視図である。
【図３】同じくその斜視図である。
【図４】同じくその斜視図である。
【図５】同じくその斜視図である。
【図６】同じくその断面図である。
【図７】接着片を示す拡大図である。
【図８】郵送用パッケージを開封した状態を示す斜視図である。
【図９】この発明の第２の実施形態に係る郵送用パッケージを示す分解斜視図である。
【図１０】同じくその斜視図である。
【図１１】同じくその斜視図である。
【図１２】同じくその斜視図である。
【符号の説明】
（１）（４１）  郵送用パッケージ
（２）  第１シート
（３）  第２シート
（４）  第３シート
（５）  接着片
（８）〜（１２）（４６）  折り目
（１３）  宛名欄
（１６）  窓部
（１７）  透明体
（１８）  枠材
（１９）  透孔
（２０）  接着部
（２１）  切離し帯
（２２）（２３）  メッセージ等表示部
（２９）  切離し部
（３０）  切れ目
【図１】
2005008182.tif 000003
【図２】
2005008182.tif 000004
【図３】
2005008182.tif 000005
【図４】
2005008182.tif 000006
【図５】
2005008182.tif 000007
【図６】
2005008182.tif 000008
【図７】
2005008182.tif 000009
【図８】
2005008182.tif 000010
【図９】
2005008182.tif 000011
【図１０】
2005008182.tif 000012
【図１１】
2005008182.tif 000013
【図１２】
2005008182.tif 000014